(57)【特許請求の範囲】
【請求項１】
しゃ断かん接続用の回転体、及び、前記回転体に固定されるアームと、ばねに接続されて前記アームへの取付位置が固定具により固定されたジョイントとからなる上昇トルク調整機構を有するしゃ断機であって、
しゃ断かんの下降トルクの大小に対応し、前記ジョイントを前記アームの長さ方向に沿って摺動させることで前記回転体に対するばね荷重の作用位置を変えて上昇トルクを調整し、
前記アームは、前記回転体を挟み込む取り付け具により固定される、しゃ断機。
【請求項２】
請求項１に記載されたしゃ断機であって、
前記上昇トルク調整機構は、前記アームと、前記ジョイントと、前記ばねとを含み、
前記アームは、前記回転体に取付けられており、
前記ジョイントは、前記アームに取り付けられ、その取付位置が可変であり、
前記ばねは、一端が前記ジョイントに結合され、前記ジョイントに引っ張り力を与える、しゃ断機。
【請求項３】
請求項１又は２に記載されたしゃ断機であって、電気踏切しゃ断機である、しゃ断機。
【発明の詳細な説明】
【技術分野】
【０００１】
本発明は、しゃ断機、具体的には踏切しゃ断機に関する。
【背景技術】
【０００２】
従来、踏切しゃ断機では、しゃ断かんにバランス・ウェイトを設けることによりモータの所要出力を低減してあった。しかし、バランス・ウェイトを用いた場合には、負荷となるしゃ断かんの長さ、重量等に併せて、例えば２０ｋｇ〜６０ｋｇ程度のウエートを準備し、これを、例えば６０ｃｍ程度の固定バーに取付けることが必要になる。このため、バランス・ウェイト機構を、機外に設置する必要があり、しゃ断機設置のために広いスペースが必要となる。しかも、適切なウエートを選択して、トルクを最適状態に設定することが難しく、職人的技量が必要になる。
【０００３】
そこで、バランス・ウェイトの代わりに、しゃ断かんに引張ばねを連結し、その引張バネ力を利用してバランスをとる構造の踏切しゃ断機が提案されている（特許文献１）。
【０００４】
しかし、ばね荷重が固定されているため、しゃ断かんの長さや重量の変動に伴う下降トルクの変化に対応しきれない。ばねの撓み量を調整する機構を採用することによって、ばね荷重を可変することもできるが、対応幅が狭いという問題は残る。
【先行技術文献】
【特許文献】
【０００５】
【特許文献１】特開２００９−１７９１８４号公報
【発明の概要】
【発明が解決しようとする課題】
【０００６】
本発明の課題は、しゃ断かんの下降トルクの大小に対応して、上昇トルクを調整し得るトルク調整機構を備えたしゃ断機を提供することである。
【０００７】
本発明のもう一つの課題は、しゃ断かんの長さや重量の変動に伴う下降トルクの変化に広く対応し得るトルク調整機構を備えたしゃ断機を提供することである。
【課題を解決するための手段】
【０００８】
上述した課題の少なくとも一つを解決するために、本発明に係るしゃ断機は、しゃ断かん接続用の回転体、及び、回転体に固定されるアームと、ばねに接続されてアームへの取付位置が固定具により固定されたジョイントとからなる上昇トルク調整機構を有するしゃ断機であって、しゃ断かんの下降トルクの大小に対応し、ジョイントをアームの長さ方向に沿って摺動させることで回転体に対するばね荷重の作用位置を変えて上昇トルクを調整し、アームは、回転体を挟み込む取り付け具により固定される。
【０００９】
上述したように、本発明に係るしゃ断機において、上昇トルク調整機構は、しゃ断かん接続用の回転体に対するばね荷重の作用位置を変えて上昇トルクを調整するから、回転駆動系に対するしゃ断かんの下降トルクの大小に対応して、上昇トルクを調整し得る。従って、しゃ断かんの長さや重量の変動に伴う下降トルクの変化に広く対応し得ることになる。
【００１０】
前記上昇トルク調整機構は、具体的には、アームと、ジョイントと、ばねとを含むことができる。アームは、前記回転体に取付けられている。前記ジョイントは前記アームに取り付けられ、その取付位置が可変である。前記ばねは、一端が前記ジョイントに結合され、前記ジョイントに引っ張り力を与える。
【００１１】
上記構成において、アームに取り付けられるジョイントの取付位置を調整することにより、しゃ断かん接続用の回転体に対するばね荷重の作用位置を変え、アームが、回転体を挟み込む取り付け具により固定されて上昇トルクを調整することができる。
【００１２】
本発明に係るしゃ断機は、典型的には、電気踏切しゃ断機であるが、駐車場の出入口に設置されるしゃ断機としても用いることができる。
【発明の効果】
【００１３】
以上述べたように、本発明によれば、しゃ断かんの下降トルクの大小に対応して、上昇トルクを調整することができ、しゃ断かんの長さや重量の変動に伴う下降トルクの変化に広く対応し得るトルク調整機構を備えたしゃ断機を提供することができる。
【図面の簡単な説明】
【００１４】
【図１】本発明に係るしゃ断機の概略を示す図である。
【図２】図１に示したしゃ断機の作用を説明する図である。
【発明を実施するための形態】
【００１５】
図１を参照すると、本発明に係るしゃ断機は、しゃ断かん１を接続する回転体３と、上昇トルク調整機構５とを有する。回転体３には、モータでなる回転駆動源７の回転駆動力が、回転伝達機構９によって伝達され、それによって回転駆動されるもので、一般には、出力軸と称される。しゃ断かん１は、回転体３の回転とともに上昇方向UPに回転駆動され、又は、自己の有する下降トルクMfにより下降方向DWに回転する。
【００１６】
回転伝達機構９は、回転駆動源７の回転駆動力を順次に伝達する歯車９１，９２，９３，９４、９５の歯車列を含む。このような歯車列は周知である。回転体３、上昇トルク調整機構５、回転駆動源７及び回転伝達機構９は、スタンド１１の上に取り付けられた外装ケース１３の内部に配置されている。
【００１７】
上昇トルク調整機構５は、回転体３に対するばね荷重の作用位置を変えて上昇トルクを調整する。上昇トルク調整機構５は、具体的には、アーム５１と、ジョイント５２と、ばね５３とを含むことができる。
【００１８】
アーム５１は、例えば、回転体３を挟み込む取り付け具５１１によって、回転体３に一体に固定して取付けられている。ジョイント５２は、アーム５１に取り付けられ、その取付位置が可変である。ジョイント５２の取付位置を変えるには、ジョイント５２を、アーム５１の長さ方向に沿って摺動させ、所要の位置で固定具５８によってアーム５１に固定する。
【００１９】
図示のばね５３は、コイルスプリングであり、一端が接続部材５４によってジョイント５２に結合され、他端がスタンド１１（又は外装ケース１３）に固定された取付部５６に対して、接続部材５５によって結合されている。接続部材５４は、ロッド状であって、一端がジョイント５２に対して回転軸P１を中心として回転できるように結合されている。接続部材５４の他端は、ばね５３に固定されている。
【００２０】
接続部材５５もロッド状であって、一端がばね５３に固定され、他端が固定部５７に突設された取付部５６に対して、回転軸P２を中心として回転できるように結合されている。
【００２１】
もっとも、ばね５３は、一本であることが必須ではなく、複数本備えていてもよいし、図示のタイプのコイルスプリングに限定されるものではない。また、アーム５１、ジョイント５２及びばね５３は、回転体３に対するばね荷重の作用位置を変えて上昇トルクを調整する上昇トルク調整機構５を実現できるように設計されるもので、図示は一例にすぎない。これらは、独立に存在するものではなく、例えば、ばね５３の形態が変われば、それに追従して、アーム５１や、ジョイント５２の形態も変わるという相互的依存関係にある。
【００２２】
上記構成において、アーム５１に取り付けられるジョイント５２の取付位置を調整することにより、しゃ断かん１を接続する回転体３に対するばね荷重の作用位置を変え、上昇トルクを調整することができる。例えば、図２に図示するように、回転体３の回転軸心O1から、ばね５３の引っ張り力の作用点となる回転軸P１までの距離をLxとし、回転軸P１に対するばね５３のばね荷重をFとすると、ばね５３による上昇トルクMｔは,
Mt=F・Lx
となる。回転体３の回転軸心O1から回転軸P１までの距離Lxは、最大調整可能距離Lmaxの中で、アーム５１に対するジョイント５２の位置を変化させることによって、変化させることができる。従って、ばね荷重Fを変えずに、アーム５１に対するジョイント５２の位置を変化させることによって、上昇トルクMtを調製することができる。最大調整可能距離Lmaxは、アーム５１の長さに依存する。当然のことであるが、上昇トルクMtは、しゃ断かん１の下降トルクMfよりも小さくなる。従って、上述した条件の中で、距離Lxを調整し、上昇トルクMtを調整することになる。
【００２３】
上述したように、本発明に係るしゃ断機において、上昇トルク調整機構５は、しゃ断かん１接続用の回転体３に対するばね荷重の作用位置を変えて上昇トルクを調整するから、しゃ断かん１の下降トルクMfの大小に対応して、上昇トルクMtを調整し得る。よって、しゃ断かん１の長さや重量の変動に伴う下降トルクMfの変化に広く対応し得る。
【００２４】
図示した上昇トルク調整機構５では、アーム５１に取り付けられるジョイント５２の取付位置を調整することにより、しゃ断かん接続用の回転体３に対するばね荷重の作用位置を変え、上昇トルクを容易に調整することができる。また、図示した実施の形態では、上昇トルク調整機構５の全体が、外装ケース１３の内部に収納されているから、上昇トルク調整機構５を保護とともに、しゃ断機設置スペースの増大を抑制することができる。
【００２５】
以上の実施の形態で説明された構成、形状、大きさ、及び、配置関係については、本発明が理解・実施できる程度に概略的に示したものに過ぎない。従って、本発明は、説明された形態に限定されるものではなく、特許請求の範囲に示される技術的思想の範囲を逸脱しない限り様々な形態に変更することができる。
【符号の説明】
【００２６】
１            しゃ断かん
３            回転体
５            上昇トルク調整機構
【図１】
0006482194.tif 000002
【図２】
0006482194.tif 000003